【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前段表示を行った後に後段表示を表示する特定演出として、第１特定演出と第２特定演出とを実行可能な特定演出実行手段と、
遊技者の動作を検出する検出手段と、
遊技に関する音を出力可能な音出力手段と、
前記音出力手段から出力される音を制御する音制御手段と、
を備え、
前記特定演出は、前記特定演出以外の演出を示唆する演出であり、
前記特定演出実行手段は、
前記第１特定演出において、第１前段表示を表示した後に後段表示として予告画像を表示し、
前記第２特定演出において、第２前段表示を表示した後に後段表示として予告画像を表示し、
前記第１前段表示と前記第２前段表示とで共通のキャラクタを表示可能であり、
前記第１特定演出において、前記検出手段の検出に基づいて前記後段表示を表示し、
前記第２特定演出において、前記検出手段の検出がなされていない場合でも前記後段表示を表示し、
前記音制御手段は、前記第２前段表示を行うときは特定の音を出力する一方で、前記第１前段表示を行うときは前記特定の音を出力せず、
前記第１特定演出が実行されるときと前記第２特定演出が実行されるときで前記有利状態に制御される割合が異なることを特徴とする遊技機。
【請求項２】
遊技者にとって有利な有利状態に制御可能な遊技機であって、
前段表示を行った後に後段表示を表示する特定演出として、第１特定演出と第２特定演出とを実行可能な特定演出実行手段と、
遊技者の動作を検出する検出手段と、
遊技に関する音を出力可能な音出力手段と、
前記音出力手段から出力される音を制御する音制御手段と、
を備え、
前記特定演出は、前記特定演出以外の演出を示唆する演出であり、
前記特定演出実行手段は、
前記第１特定演出において、第１前段表示を表示した後に後段表示として予告画像を表示し、
前記第２特定演出において、第２前段表示を表示した後に後段表示として予告画像を表示し、
前記第１前段表示と前記第２前段表示とで共通のキャラクタを表示可能であり、
前記第１特定演出において、前記検出手段の検出に基づいて前記後段表示を表示し、
前記第２特定演出において、前記検出手段の検出がなされていない場合でも前記後段表示を表示し、
前記音制御手段は、前記第２前段表示を行うときと前記第１前段表示を行うときで音出力の態様を異ならせ、
前記第１特定演出が実行されるときと前記第２特定演出が実行されるときで前記有利状態に制御される割合が異なることを特徴とする遊技機。
【手続補正２】
【補正対象書類名】明細書
【補正対象項目名】０００６
【補正方法】変更
【補正の内容】
【０００６】
（Ａ）本発明の一態様による遊技機は、遊技者にとって有利な有利状態に制御可能な遊技機（例えば、パチンコ遊技機１等）であって、
前段表示を行った後に後段表示を表示する特定演出として、第１特定演出と第２特定演出とを実行可能な特定演出実行手段と、
遊技者の動作を検出する検出手段（例えば、プッシュボタン３１Ｂの動作を検出するプッシュセンサ３５Ｂ等）と、
遊技に関する音を出力可能な音出力手段と、
前記音出力手段から出力される音を制御する音制御手段と、
を備え、
前記特定演出は、前記特定演出以外の演出を示唆する演出（例えば、図２１−４に示すように、リーチ演出を示唆する宝箱演出、図２１−５に示すように、保留表示エリア５７ＳＨ５２に表示される保留表示の変化を示唆する宝箱演出、図２１−８に示すように、飾り図柄表示エリア５Ｌ、５Ｃ、５Ｒに表示される飾り図柄が１回の変動で複数回の変動を行うように見せる擬似連演出を予告する宝箱演出等）であり、
前記特定演出実行手段は、
前記第１特定演出において、第１前段表示を表示した後に後段表示として予告画像を表示し、
前記第２特定演出において、第２前段表示を表示した後に後段表示として予告画像を表示し、
前記第１前段表示と前記第２前段表示とで共通のキャラクタを表示可能であり、
前記第１特定演出において、前記検出手段の検出に基づいて前記後段表示を表示し（例えば、図２１−４（Ｂ）に示すように、メイン液晶５において、宝箱５７ＳＨ１０の表示を行った後に、プッシュボタン３１Ｂが遊技者に操作されて、プッシュセンサ３５Ｂが遊技者の動作（操作）を検出したときに、図２１−４（Ｃ）（Ｄ）に示すように、宝箱５７ＳＨ１０が開放されて宝箱５７ＳＨ１０から出てくる内容物５７ＳＨ１１を表示する等）、
前記第２特定演出において、前記検出手段の検出がなされていない場合でも前記後段表示を表示し（例えば、図２１−５（Ｂ）に示すように、サブ液晶５７ＳＨ５１において、宝箱５７ＳＨ１０の表示を行った後、プッシュボタン３１Ｂが遊技者に操作されず、プッシュセンサ３５Ｂが遊技者の動作（操作）を検出しない場合にも、図２１−５（Ｃ）（Ｄ）に示すように、宝箱５７ＳＨ１０が開放されて宝箱５７ＳＨ１０から出てくる内容物５７ＳＨ１１を表示する第２宝箱演出等）、
前記音制御手段は、前記第２前段表示を行うときは特定の音を出力する一方で、前記第１前段表示を行うときは前記特定の音を出力せず、
前記第１特定演出が実行されるときと前記第２特定演出が実行されるときで前記有利状態に制御される割合が異なることを特徴とする。
（１）本発明の一態様による遊技機は、遊技に関する表示が可能な第１表示手段（例えば、メイン液晶５等）と、該第１表示手段よりも認識し難い第２表示手段（例えば、サブ液晶５７ＳＨ５１等）と、を備える遊技機（例えば、パチンコ遊技機１等）であって、
前記第１表示手段と前記第２表示手段とに遊技に関する表示をさせる制御を行う表示制御手段（例えば、表示制御部１２３等）と、
遊技者の動作を検出する検出手段（例えば、プッシュボタン３１Ｂの動作を検出するプッシュセンサ３５Ｂ等）と
を備え、
前記表示制御手段は、
前段表示を行った後に後段表示を表示する特定演出（例えば、宝箱５７ＳＨ１０の表示を行った後に宝箱５７ＳＨ１０から出てくる内容物５７ＳＨ１１を表示する宝箱演出等）を実行可能であり、
該特定演出として、
前記後段表示を、前記前段表示である第１前段表示を前記第１表示手段において行った後に表示する第１特定演出（例えば、図２１−４（Ｂ）に示すように、メイン液晶５において、宝箱５７ＳＨ１０の表示を行った後に、図２１−４（Ｃ）（Ｄ）に示すように、宝箱５７ＳＨ１０が開放されて宝箱５７ＳＨ１０から出てくる内容物５７ＳＨ１１を表示する第１宝箱演出等）と、
前記後段表示を、前記前段表示である第２前段表示を前記第２表示手段において行った後に表示する第２特定演出（例えば、図２１−５（Ｂ）に示すように、サブ液晶５７ＳＨ５１において、宝箱５７ＳＨ１０の表示を行った後に、図２１−５（Ｃ）（Ｄ）に示すように、宝箱５７ＳＨ１０が開放されて宝箱５７ＳＨ１０から出てくる内容物５７ＳＨ１１を表示する第１宝箱演出等）と、を実行可能であり、
前記第１特定演出では、前記検出手段の検出に基づいて前記後段表示を表示し（例えば、図２１−４（Ｂ）に示すように、メイン液晶５において、宝箱５７ＳＨ１０の表示を行った後に、プッシュボタン３１Ｂが遊技者に操作されて、プッシュセンサ３５Ｂが遊技者の動作（操作）を検出したときに、図２１−４（Ｃ）（Ｄ）に示すように、宝箱５７ＳＨ１０が開放されて宝箱５７ＳＨ１０から出てくる内容物５７ＳＨ１１を表示する等）、
前記第２特定演出では、前記検出手段の検出がなされていない場合でも前記後段表示を表示する（例えば、図２１−５（Ｂ）に示すように、サブ液晶５７ＳＨ５１において、宝箱５７ＳＨ１０の表示を行った後、プッシュボタン３１Ｂが遊技者に操作されず、プッシュセンサ３５Ｂが遊技者の動作（操作）を検出しない場合にも、図２１−５（Ｃ）（Ｄ）に示すように、宝箱５７ＳＨ１０が開放されて宝箱５７ＳＨ１０から出てくる内容物５７ＳＨ１１を表示する第２宝箱演出等）ことを特徴とする。
【手続補正３】
【補正対象書類名】明細書
【補正対象項目名】０００８
【補正方法】変更
【補正の内容】
【０００８】
（Ｂ）本発明の一態様による遊技機は、遊技者にとって有利な有利状態に制御可能な遊技機（例えば、パチンコ遊技機１等）であって、
前段表示を行った後に後段表示を表示する特定演出として、第１特定演出と第２特定演出とを実行可能な特定演出実行手段と、
遊技者の動作を検出する検出手段（例えば、プッシュボタン３１Ｂの動作を検出するプッシュセンサ３５Ｂ等）と、
を備え、
前記特定演出は、前記特定演出以外の演出を示唆する演出（例えば、図２１−４に示すように、リーチ演出を示唆する宝箱演出、図２１−５に示すように、保留表示エリア５７ＳＨ５２に表示される保留表示の変化を示唆する宝箱演出、図２１−８に示すように、飾り図柄表示エリア５Ｌ、５Ｃ、５Ｒに表示される飾り図柄が１回の変動で複数回の変動を行うように見せる擬似連演出を予告する宝箱演出等）であり、
前記特定演出実行手段は、
前記第１特定演出において、第１前段表示を表示した後に後段表示として予告画像を表示し、
前記第２特定演出において、第２前段表示を表示した後に後段表示として予告画像を表示し、
前記第１前段表示と前記第２前段表示とで共通のキャラクタを表示可能であり、
前記第１特定演出において、前記検出手段の検出に基づいて前記後段表示を表示し、
前記第２特定演出において、前記検出手段の検出がなされていない場合でも前記後段表示を表示し、
前記音制御手段は、前記第２前段表示を行うときと前記第１前段表示を行うときで音出力の態様を異ならせ、
前記第１特定演出が実行されるときと前記第２特定演出が実行されるときで前記有利状態に制御される割合が異なることを特徴とする。
（２）本発明の一態様による遊技機は、遊技に関する表示が可能な第１表示手段（例えば、メイン液晶５等）と、該第１表示手段よりも認識し難い第２表示手段（例えば、サブ液晶５７ＳＨ５１等）と、を備える遊技機（例えば、パチンコ遊技機１等）であって、
前記第１表示手段と前記第２表示手段とに遊技に関する表示をさせる制御を行う表示制御手段（例えば、表示制御部１２３等）と、
遊技者の動作を検出する検出手段（例えば、プッシュボタン３１Ｂの動作を検出するプッシュセンサ３５Ｂ等）と
を備え、
前記表示制御手段は、
前段表示を行った後に後段表示を表示する特定演出（例えば、宝箱５７ＳＨ１０の表示を行った後に宝箱５７ＳＨ１０から出てくる内容物５７ＳＨ１１を表示する宝箱演出等）を実行可能であり、
該特定演出として、
前記後段表示を、前記前段表示である第１前段表示を前記第１表示手段において行った後に表示する第１特定演出（例えば、図２１−４（Ｂ）に示すように、メイン液晶５において、宝箱５７ＳＨ１０の表示を行った後に、図２１−４（Ｃ）（Ｄ）に示すように、宝箱５７ＳＨ１０が開放されて宝箱５７ＳＨ１０から出てくる内容物５７ＳＨ１１を表示する第１宝箱演出等）と、
前記後段表示を、前記前段表示である第２前段表示を前記第２表示手段において行った後に表示する第２特定演出（例えば、図２１−５（Ｂ）に示すように、サブ液晶５７ＳＨ５１において、宝箱５７ＳＨ１０の表示を行った後に、図２１−５（Ｃ）（Ｄ）に示すように、宝箱５７ＳＨ１０が開放されて宝箱５７ＳＨ１０から出てくる内容物５７ＳＨ１１を表示する第１宝箱演出等）と、を実行可能であり、
前記第１特定演出において、遊技者の動作を受け付ける際に動作を指示する指示表示を行わず（例えば、図２１−７（Ｂ）、図２１−９に示すように、第１宝箱演出の操作有効期間内にメイン液晶５には、プッシュボタン３１Ｂを模したボタン画像５７ＳＨ３１Ｂを表示しない等）、
前記第２特定演出において、遊技者の動作を受け付ける際に動作を指示する指示表示を行う（例えば、図２１−８（Ｂ）、図２１−９に示すように、第２宝箱演出の操作有効期間内にメイン液晶５にプッシュボタン３１Ｂを模したボタン画像５７ＳＨ３１Ｂを表示する等）ことを特徴とする。
【手続補正４】
【補正対象書類名】明細書
【補正対象項目名】０２６１
【補正方法】変更
【補正の内容】
【０２６１】
また、図２０−３及び図２０−４に示すように、外枠１０９ＳＧ００１ａの右端部には、遊技機用枠１０９ＳＧ００３の閉鎖時に、錠スイッチ１０９ＳＧ０５１と設定切替スイッチ５２とを含む基板ケース１０９ＳＧ２０１の右側部を背面側から被覆するセキュリティカバー１０９ＳＧ５００Ａが取り付けられている。このセキュリティカバー１０９ＳＧ５００Ａは、前後方向を向く短片１０９ＳＧ５００Ａａと、該短片１０９ＳＧ５００Ａａの後端部からパチンコ遊技機１の左側方に向けて伸びる長片１０９ＳＧ５００Ａｂと、を備える略Ｌ字状の部材であって、透過性を有する板状の合成樹脂材によって構成されている。短片１０９ＳＧ５００Ａａの上下寸法は、基板ケース１０９ＳＧ２０１の背板の上下寸法とほぼ同寸とされている。また、セキュリティカバー１０９ＳＧ５００Ａは、短片１０９ＳＧ５００Ａａの前端部を介して外枠１０９ＳＧ００１ａの右端部に固定されている。
【手続補正５】
【補正対象書類名】明細書
【補正対象項目名】０３６１
【補正方法】変更
【補正の内容】
【０３６１】
ＲＯＭ１０１が記憶する判定テーブルには、例えば図２０−８（Ａ）に示す表示結果判定テーブル（設定値１）、図２０−８（Ｂ）に示す表示結果判定テーブル（設定値２）、図２０−８（Ｃ）に示す表示結果判定テーブル（設定値３）、図２０−９（Ａ）に示す大当り種別判定テーブル（第１特別図柄用）、図２０−９（Ｂ）に示す大当り種別判定テーブル（第２特別図柄用）、図２０−９（Ｃ）に示す小当り種別判定テーブルの他、大当り用変動パターン判定テーブル（図示略）、小当り用変動パターン判定テーブル（図示略）、ハズレ用変動パターン判定テーブル（図示略）、普図表示結果判定テーブル（図示略）、普図変動パターン決定テーブル（図示略）などが含まれている。
【手続補正６】
【補正対象書類名】明細書
【補正対象項目名】０４６０
【補正方法】変更
【補正の内容】
【０４６０】
尚、本実施の形態における遊技の入賞に関する情報が記憶される記憶領域は、設定値毎に設けられており、一般入賞口賞球や第１始動口賞球、普通電役賞球、特別電役賞球、賞球合計、打込合計は、設定されている設定値に応じた記憶領域（リングバッファ）に記憶されるようになっている。このため、本実施の形態の連比、役比、ベースは、設定値毎に個別に算出可能となっている。
【手続補正７】
【補正対象書類名】明細書
【補正対象項目名】０５８５
【補正方法】変更
【補正の内容】
【０５８５】
（変形例１）
尚、本実施の形態では、本発明における出現表示として第１始動入賞演出と第２始動入賞演出とを実行する形態を例示したが、本発明はこれに限定されるものではなく、変形例１として図２０−３０（Ａ）及び図２０−３０（Ｂ）に示すように、保留記憶数が０であり且つ変動表示の非実行中であるときに新たな始動入賞が発生した場合は、第２始動入賞演出を実行することなく保留表示をアクティブ表示としてアクティブ表示エリア１０９ＳＧ００５Ｆに表示してもよいし、また、第２始動入賞演出として、保留表示をキャラクタ画像１０９ＳＧＣから第１保留記憶表示エリア１０９ＳＧ００５Ｄを経由することなく直接アクティブ表示エリア１０９ＳＧ００５Ｆに移動させてもよい。このようにすることで、新たな始動入賞が発生してからアクティブ表示エリア１０９ＳＧ００５Ｆにアクティブ表示が表示されるまでの期間を短縮できる。
【手続補正８】
【補正対象書類名】明細書
【補正対象項目名】０７４６
【補正方法】変更
【補正の内容】
【０７４６】
また、操作対象をプッシュボタン以外のデバイス、例えばスティックコントローラ３１Ａとしてもよい。例えば、図２１−１３（Ａ−１）に示すように、第１宝箱演出では、操作有効期間にスティックコントローラ３１Ａを模したコントローラ画像５７ＳＨ３１Ａを表示し、スティックコントローラ３１Ａの操作をコントローラセンサユニット３５Ａが検出したときに、宝箱５７ＳＨ１０を開放させる画像を表示し、図２１−１３（Ｂ−１）に示すように、第２宝箱演出では、操作有効期間にボタン画像５７ＳＨ３１Ｂを表示し、プッシュボタン３１Ｂの操作をプッシュセンサ３５Ｂが検出したときに、宝箱５７ＳＨ１０を開放させる画像を表示するようにしてもよい。この場合、表示される画像と操作されるデバイスが対応していてもよいし対応していなくてもよい。例えば、ボタン画像５７ＳＨ３１Ｂが表示されているときに、スティックコントローラ３１Ａの操作をコントローラセンサユニット３５Ａが検出した場合に、宝箱５７ＳＨ１０を開放させる画像を表示してもよいし、コントローラ画像５７ＳＨ３１Ａが表示されているときに、プッシュボタン３１Ｂの操作をプッシュセンサ３５Ｂが検出した場合に、宝箱５７ＳＨ１０を開放させる画像を表示してもよい。
【手続補正９】
【補正対象書類名】明細書
【補正対象項目名】０７６２
【補正方法】変更
【補正の内容】
【０７６２】
また、上記の実施形態では１回の可変表示では宝箱演出は１回行われ、１回の可変表示で２回以上の宝箱演出が行われないが、１回の可変表示で宝箱演出が２回以上行われることがあるようにしてもよい。例えば、メイン液晶５及びサブ液晶５７ＳＨ５１にそれぞれ宝箱５７ＳＨ１０を表示し、メイン液晶５に表示された宝箱５７ＳＨ１０から飛び出した内容物５７ＳＨ１１によって擬似連演出等を予告（示唆）し、サブ液晶５７ＳＨ５１に表示された宝箱５７ＳＨ１０から飛び出した内容物５７ＳＨ１１によって先読み予告演出等を示唆（予告）してもよい。この場合、内容物５７ＳＨ１１は、同時に表示してもよいし、タイミングをずらして表示するようにしてもよい。また、内容物５７ＳＨ１１をともにメイン液晶５に表示してもよいし、サブ液晶５７ＳＨ５１に表示してもよいし、メイン液晶５とサブ液晶５１に分けて表示してもよい。